【手続補正書】
【提出日】平成27年4月25日(2015.4.25)
【手続補正１】
【補正対象書類名】特許請求の範囲
【補正対象項目名】全文
【補正方法】変更
【補正の内容】
【特許請求の範囲】
【請求項１】
アプリケーションが作成する情報であるファイル情報と装置が用意するフォルダを、管理単位であるデータオブジェクトとして管理する情報管理装置であって、
ファイル情報はフォルダに収容される形で管理され、フォルダは、１つのフォルダが別のフォルダである親フォルダの中に子フォルダとして収容されることが繰り返される階層構造の形で管理される情報管理装置にあって、
装置が管理するデータオブジェクトについて、
該当のデータオブジェクトを直接に収容する親フォルダの中において一意に定まる名称であるフォルダ内名称と、
該当のデータオブジェクトを格納する全ての階層上位のフォルダのフォルダ内名称を、そのフォルダが階層構造において占める順序にしたがって、定めた分離符を介して順次につないだ文字列に該当データオブジェクトのフォルダ内名称を、上記分離符を介してつなぐことによって得られる文字列である全パス名と、
ファイル情報とフォルダを区別した上、ファイル情報である場合には、該当するアプリケーションの種別を表わす種別情報と、
を対応付けて記憶するデータオブジェクト記憶手段と、
装置画面上において、ファイル情報を、該当するアプリケーションごとに定めたイメージであるアイコンによって表わし、フォルダについて特に定めたイメージであるアイコンによって表わした上、データオブジェクトに対する各種の処理を、装置画面上における該当するアイコン対する特定操作によっておこなうアイコン操作手段と、
を備え、
別に設けた検索対象指定手段からの入力にもとづいて、検索対象となる全てのフォルダに対して階層最上位に位置するフォルダである検索対象先頭フォルダを指定するステップと、
データオブジェクト記憶手段に記憶した各フォルダの全パス名、または、指定検索対象先頭フォルダの全パス名、または、別に設けた項目別フォルダ集合指定手段からの入力にもとづいて、検索対象先頭フォルダの階層下位に位置する全てのフォルダの親フォルダを、その中に子フォルダを設けるときの分類上の視点を共有するフォルダの集合である項目別フォルダ集合ごとにグループ分けした上、グループ分けされた各項目別フォルダ集合ごとに、
該当の項目別フォルダ集合の識別名称である項目名と、
該当の項目別フォルダ集合に属する各フォルダの全パス名と、
該当の項目別フォルダ集合に属する各フォルダに直接に収容される子フォルダであって、かつ、検索対象先頭フォルダをその階層上位フォルダとするフォルダである分類語生成フォルダのフォルダ内名称である分類語の集合である項目別分類語列と、
を対応付けて登録した項目別管理データを作成するステップと、
検索対象先頭フォルダその階層上位のフォルダとする全てのファイル情報を検索対象情報として順次に取出し、取り出した検索対象情報に対して階層上位に位置する各フォルダである第1のフォルダについて、その親フォルダが所属する項目別フォルダ集合を登録した項目管理データを識別した上、識別した項目管理データに登録されている項目名に対して第1のフォルダのフォルダ内名称をデータ名として対応付けた情報属性データを作成するステップと、
取り出したフ検索対象情報について作成された全ての情報属性データの集合である情報属性データチェインを該当する検索対象情報の全パス名と対応付けて登録した個別情報管理データを作成するステップと、
各項目別管理データに登録されている項目別分類語列を構成する各分類語を、別に設けたキーワード選択手段上において該当の項目名と対応付けて出力するステップと、
出力された分類語の中から選択した検索キーワードをデータ名として、該当する項目名との対を定めた規則にしたがって組み合わせた検索条件を入力するステップと、
入力された検索条件と別に定めた関係にある情報属性データチェインを登録した個別情報管理データを選択し、選択した個別情報管理データに登録されている全パス名の該当ファイル情報を、別に設けた検索出力手段上に出力するステップと、
からなる方法。
【請求項２】
該当の項目別フォルダ集合において特定される分類語生成フォルダのフォルダ内名称に対して、別に設けた代表分類語指定手段からの入力に基づいて、該当のフォルダ内名称が表わす分類内容に対して一意に定まる代表分類語を対応付けるステップと、
項目別分類語列を構成するフォルダ内名称の中、代表分類語を対応付けたフォルダ内名称を該当の代表分類語と置き換えるステップと、
情報属性データのデータ名として、第１のフォルダのフォルダ内名称に対応付けた代表分類語をセットするステップと、
を有する請求項１に記載の方法。
【請求項３】
検索対象先頭フォルダの階層下位に位置するフォルダを、検索対象指定手段を介して検索対象情報として指定するステップと、
該当の項目別フォルダ集合に係わる項目別分類語列を、該当の項目別フォルダ集合において特定される分類語生成フォルダの中から、検索対象情報として指定されたフォルダを除いたフォルダのフォルダ内名称の集合として特定するステップと、
検索対象情報として指定したフォルダについて、情報属性データチェインを作成した上、該当する検索対象情報の全パス名と対応付けて登録した個別情報管理データを作成するステップと、
を有する請求項1、２に記載の方法。
【請求項４】
検索出力情報を出力する矩形域であるアイコン配置欄セルをマトリクス状に配置したアイコン配置欄とアイコン配置欄の外側上方の１行上、または、アイコン配置欄の外側左方の１列上に設けられ、１つの項目名に対応する見出し語をその中に配置表示する見出し語欄とからなる表を表わす表定義データを作成する手段と作成した表定義データにもとづいて該当の表を装置画面上に表示する表表示手段とを備え、
項目別管理データに登録されている項目名ごとに選択された検索キーワードを、見出し語として同じ項目名に割り当てた見出し語欄内に配置した第1の表を表わす第1の表定義データを作成するステップと、
第1の表を構成する各アイコン配置欄セルについて、そのアイコン配置欄セルと定めた位置関係にある見出し語を各見出し語欄から識別した上、識別した見出し語を見出し語データとして該当の見出し語欄に割り当てた項目名と対応付けた関連見出し語定義データを作成するステップと、
各検索対象情報について、該当の個別情報管理データに登録されている情報属性データチェインと第１の関係にある関連見出し語定義データチェインが作成されているアイコン配置欄セル内に、該当のアイコンを出力表示するステップと、
からなる請求項１、２、３に記載の方法。
【請求項５】
各見出し語欄内にシステムの予約語である特定用語を見出し語として追加した表を表わす第1の表定義データを作成した上、上記特定用語を見出し語データとして含む関連見出し語定義データが識別されるアイコン配置欄セルにおいては、該当のアイコン配置欄セルについて識別される関連見出し語定義データチェインに対して別に定めた第２の関係にある情報属性データチェインを登録した個別情報管理データを選択し、選択した個別情報管理データの該当情報のアイコンを出力する請求項４に記載の方法。
【請求項６】
項目別管理データに登録されている項目名であって、検索キーワードが指定されていない項目名に対応する見出し語欄を設け、設けた見出し語欄内には、該当の項目別管理データに登録されている項目別分類語列を構成する各分類語を見出し語として配置した第2の表を表わす第２の表定義データを作成するステップと、
表表示手段に表示された第1の表上においてアイコン配置欄内の1つのセルである第１のセルに対して特定指示を与えることによって第2の表を表表示手段上に表示するステップと、
第２の表のアイコン配置欄内の1つのセルである第２のセル内に、第１のセルについて第１の方法、または、第２の方法により選択された検索対象情報の中から、さらに、第２にセルについて第１の方法により選択した情報のアイコンを出力する請求項４、５に記載の方法。
【請求項７】
検索キーワードとして指定されている見出し語を検索キーワードとして指定されていない見出し語に対して区別できる修飾情報を与えて配置表示する請求項４、５、６に記載の方法。
【請求項８】
別に設けたセル内表示方法入力手段を介した指示、または、該当のセル内に出力される検索対象情報の個数にもとづき、アイコン配置欄内の出力情報の表示方法を、少なくとも、該当アイコン配置欄内の出力情報の中から特定の方法によって選択される情報のアイコンを出力する方法、または、当アイコン配置欄内に出力情報を代表する特定アイコンを出力する方法を含む方法の中から選択する請求項４、５、６、７に記載の方法。
【請求項９】
アプリケーションが作成する情報であるファイル情報と装置が用意するフォルダを、管理単位であるデータオブジェクトとして管理する情報管理装置であって、
ファイル情報はフォルダに収容される形で管理され、フォルダは、１つのフォルダが別のフォルダである親フォルダの中に子フォルダとして収容されることが繰り返される階層構造の形で管理される情報管理装置にあって、
装置が管理するデータオブジェクトについて、
該当のデータオブジェクトを直接に収容する親フォルダの中において一意に定まる名称であるフォルダ内名称と、
該当のデータオブジェクトを格納する全ての階層上位のフォルダのフォルダ内名称を、そのフォルダが階層構造において占める順序にしたがって、定めた分離符を介して順次につないだ文字列に該当データオブジェクトのフォルダ内名称を、上記分離符を介してつなぐことによって得られる文字列である全パス名と、
ファイル情報とフォルダを区別した上、ファイル情報である場合には、該当するアプリケーションの種別を表わす種別情報と、
を対応付けて記憶するデータオブジェクト記憶手段と、
装置画面上において、ファイル情報を、該当するアプリケーションごとに定めたイメージであるアイコンによって表わし、フォルダについて特に定めたイメージであるアイコンによって表わした上、データオブジェクトに対する各種の処理を、装置画面上における該当するアイコン対する特定操作によっておこなうアイコン操作手段と、
を備え、
別に設けた検索対象指定手段からの入力にもとづいて、検索対象となる全てのフォルダに対して階層最上位に位置するフォルダである検索対象先頭フォルダを指定する手段と、
データオブジェクト記憶手段に記憶した各フォルダの全パス名、または、指定検索対象先頭フォルダの全パス名、または、別に設けた項目別フォルダ集合指定手段からの入力にもとづいて、検索対象先頭フォルダの階層下位に位置する全てのフォルダの親フォルダを、その中に子フォルダを設けるときの分類上の視点を共有するフォルダの集合である項目別フォルダ集合ごとにグループ分けした上、グループ分けされた各項目別フォルダ集合ごとに、
該当の項目別フォルダ集合の識別名称である項目名と、
該当の項目別フォルダ集合に属する各フォルダの全パス名と、
該当の項目別フォルダ集合に属する各フォルダに直接に収容される子フォルダであって、かつ、検索対象先頭フォルダをその階層上位フォルダとするフォルダである分類語生成フォルダのフォルダ内名称である分類語の集合である項目別分類語列と、
を対応付けて登録した項目別管理データを作成する手段と、
検索対象先頭フォルダその階層上位のフォルダとする全てのファイル情報を検索対象情報として順次に取出し、取り出した検索対象情報に対して階層上位に位置する各フォルダである第1のフォルダについて、その親フォルダが所属する項目別フォルダ集合を登録した項目管理データを識別した上、識別した項目管理データに登録されている項目名に対して第1のフォルダのフォルダ内名称をデータ名として対応付けた情報属性データを作成する手段と、
取り出したフ検索対象情報について作成された全ての情報属性データの集合である情報属性データチェインを該当する検索対象情報の全パス名と対応付けて登録した個別情報管理データを作成する手段と、
各項目別管理データに登録されている項目別分類語列を構成する各分類語を、別に設けたキーワード選択手段上において該当の項目名と対応付けて出力する手段と、
出力された分類語の中から選択した検索キーワードをデータ名として、該当する項目名との対を定めた規則にしたがって組み合わせた検索条件を入力する手段と、
入力された検索条件と別に定めた関係にある情報属性データチェインを登録した個別情報管理データを選択し、選択した個別情報管理データに登録されている全パス名の該当ファイル情報を、別に設けた検索出力手段上に出力する手段と、
からなる情報管理装置。
【請求項１０】
該当の項目別フォルダ集合において特定される分類語生成フォルダのフォルダ内名称に対して、別に設けた代表分類語指定手段からの入力に基づいて、該当のフォルダ内名称が表わす分類内容に対して一意に定まる代表分類語を対応付ける手段と、
項目別分類語列を構成するフォルダ内名称の中、代表分類語を対応付けたフォルダ内名称を該当の代表分類語と置き換える手段と、
情報属性データのデータ名として、第１のフォルダのフォルダ内名称に対応付けた代表分類語をセットする手段と、
を有する請求項９に記載の情報管理装置。
【請求項１１】
検索対象先頭フォルダの階層下位に位置するフォルダを、検索対象指定手段を介して検索対象情報として指定する手段と、
該当の項目別フォルダ集合に係わる項目別分類語列を、該当の項目別フォルダ集合において特定される分類語生成フォルダの中から、検索対象情報として指定されたフォルダを除いたフォルダのフォルダ内名称の集合として特定する手段と、
検索対象情報として指定したフォルダについて、情報属性データチェインを作成した上、該当する検索対象情報の全パス名と対応付けて登録した個別情報管理データを作成する手段と、
を有する請求項９、１０に記載の情報管理装置。
【請求項１２】
検索出力情報を出力する矩形域であるアイコン配置欄セルをマトリクス状に配置したアイコン配置欄とアイコン配置欄の外側上方の１行上、または、アイコン配置欄の外側左方の１列上に設けられ、１つの項目名に対応する見出し語をその中に配置表示する見出し語欄とからなる表を表わす表定義データを作成する手段と作成した表定義データにもとづいて該当の表を装置画面上に表示する表表示手段とを備え、
項目別管理データに登録されている項目名ごとに選択された検索キーワードを、見出し語として同じ項目名に割り当てた見出し語欄内に配置した第1の表を表わす第1の表定義データを作成する手段と、
第1の表を構成する各アイコン配置欄セルについて、そのアイコン配置欄セルと定めた位置関係にある見出し語を各見出し語欄から識別した上、識別した見出し語を見出し語データとして該当の見出し語欄に割り当てた項目名と対応付けた関連見出し語定義データを作成する手段と、
各検索対象情報について、該当の個別情報管理データに登録されている情報属性データチェインと第１の関係にある関連見出し語定義データチェインが作成されているアイコン配置欄セル内に、該当のアイコンを出力表示する手段と、
からなる請求項９、１０、１１に記載の情報管理装置。
【請求項１３】
各見出し語欄内にシステムの予約語である特定用語を見出し語として追加した表を表わす第1の表定義データを作成した上、上記特定用語を見出し語データとして含む関連見出し語定義データが識別されるアイコン配置欄セルにおいては、該当のアイコン配置欄セルについて識別される関連見出し語定義データチェインに対して別に定めた第２の関係にある情報属性データチェインを登録した個別情報管理データを選択し、選択した個別情報管理データの該当情報のアイコンを出力する請求項１２に記載の情報管理装置。
【請求項１４】
項目別管理データに登録されている項目名であって、検索キーワードが指定されていない項目名に対応する見出し語欄を設け、設けた見出し語欄内には、該当の項目別管理データに登録されている項目別分類語列を構成する各分類語を見出し語として配置した第2の表を表わす第２の表定義データを作成する手段と、
表表示手段に表示された第1の表上においてアイコン配置欄内の1つのセルである第１のセルに対して特定指示を与えることによって第2の表を表表示手段上に表示する手段と、
第２の表のアイコン配置欄内の1つのセルである第２のセル内に、第１のセルについて第１の方法、または、第２の方法により選択された検索対象情報の中から、さらに、第２にセルについて第１の方法により選択した情報のアイコンを出力する請求項１２、１３に記載の情報管理装置。
【請求項１５】
検索キーワードとして指定されている見出し語を検索キーワードとして指定されていない見出し語に対して区別できる修飾情報を与えて配置表示する請求項１２、１３、１４に記載の情報管理装置。
【請求項１６】
別に設けたセル内表示方法入力手段を介した指示、または、該当のセル内に出力される検索対象情報の個数にもとづき、アイコン配置欄内の出力情報の表示方法を、少なくとも、該当アイコン配置欄内の出力情報の中から特定の方法によって選択される情報のアイコンを出力する方法、または、当アイコン配置欄内に出力情報を代表する特定アイコンを出力する方法を含む方法の中から選択する請求項１２、１３、１４、１５に記載の情報管理装置。
【請求項１７】
アプリケーションが作成する情報であるファイル情報と装置が用意するフォルダを、管理単位であるデータオブジェクトとして管理する情報管理装置であって、
ファイル情報はフォルダに収容される形で管理され、フォルダは、１つのフォルダが別のフォルダである親フォルダの中に子フォルダとして収容されることが繰り返される階層構造の形で管理される情報管理装置にあって、
装置が管理するデータオブジェクトについて、
該当のデータオブジェクトを直接に収容する親フォルダの中において一意に定まる名称であるフォルダ内名称と、
該当のデータオブジェクトを格納する全ての階層上位のフォルダのフォルダ内名称を、そのフォルダが階層構造において占める順序にしたがって、定めた分離符を介して順次につないだ文字列に該当データオブジェクトのフォルダ内名称を、上記分離符を介してつなぐことによって得られる文字列である全パス名と、
ファイル情報とフォルダを区別した上、ファイル情報である場合には、該当するアプリケーションの種別を表わす種別情報と、
を対応付けて記憶するデータオブジェクト記憶手段と、
装置画面上において、ファイル情報を、該当するアプリケーションごとに定めたイメージであるアイコンによって表わし、フォルダについて特に定めたイメージであるアイコンによって表わした上、データオブジェクトに対する各種の処理を、装置画面上における該当するアイコン対する特定操作によっておこなうアイコン操作手段と、
を備え、
別に設けた検索対象指定手段からの入力にもとづいて、検索対象となる全てのフォルダに対して階層最上位に位置するフォルダである検索対象先頭フォルダを指定するステップと、
データオブジェクト記憶手段に記憶した各フォルダの全パス名、または、指定検索対象先頭フォルダの全パス名、または、別に設けた項目別フォルダ集合指定手段からの入力にもとづいて、検索対象先頭フォルダの階層下位に位置する全てのフォルダの親フォルダを、その中に子フォルダを設けるときの分類上の視点を共有するフォルダの集合である項目別フォルダ集合ごとにグループ分けした上、グループ分けされた各項目別フォルダ集合ごとに、
該当の項目別フォルダ集合の識別名称である項目名と、
該当の項目別フォルダ集合に属する各フォルダの全パス名と、
該当の項目別フォルダ集合に属する各フォルダに直接に収容される子フォルダであって、かつ、検索対象先頭フォルダをその階層上位フォルダとするフォルダである分類語生成フォルダのフォルダ内名称である分類語の集合である項目別分類語列と、
を対応付けて登録した項目別管理データを作成するステップと、
検索対象先頭フォルダその階層上位のフォルダとする全てのファイル情報を検索対象情報として順次に取出し、取り出した検索対象情報に対して階層上位に位置する各フォルダである第1のフォルダについて、その親フォルダが所属する項目別フォルダ集合を登録した項目管理データを識別した上、識別した項目管理データに登録されている項目名に対して第1のフォルダのフォルダ内名称をデータ名として対応付けた情報属性データを作成するステップと、
取り出したフ検索対象情報について作成された全ての情報属性データの集合である情報属性データチェインを該当する検索対象情報の全パス名と対応付けて登録した個別情報管理データを作成するステップと、
各項目別管理データに登録されている項目別分類語列を構成する各分類語を、別に設けたキーワード選択手段上において該当の項目名と対応付けて出力するステップと、
出力された分類語の中から選択した検索キーワードをデータ名として、該当する項目名との対を定めた規則にしたがって組み合わせた検索条件を入力するステップと、
入力された検索条件と別に定めた関係にある情報属性データチェインを登録した個別情報管理データを選択し、選択した個別情報管理データに登録されている全パス名の該当ファイル情報を、別に設けた検索出力手段上に出力するステップと、
からなる情報処理装置における方法をコンピュータによって実現させるための制御プログラム。
【請求項１８】
該当の項目別フォルダ集合において特定される分類語生成フォルダのフォルダ内名称に対して、別に設けた代表分類語指定手段からの入力に基づいて、該当のフォルダ内名称が表わす分類内容に対して一意に定まる代表分類語を対応付けるステップと、
項目別分類語列を構成するフォルダ内名称の中、代表分類語を対応付けたフォルダ内名称を該当の代表分類語と置き換えるステップと、
情報属性データのデータ名として、第１のフォルダのフォルダ内名称に対応付けた代表分類語をセットするステップと、
を有する請求項１７に記載の情報処理装置における方法をコンピュータによって実現させるための制御プログラム。
【請求項１９】
検索対象先頭フォルダの階層下位に位置するフォルダを、検索対象指定手段を介して検索対象情報として指定するステップと、
該当の項目別フォルダ集合に係わる項目別分類語列を、該当の項目別フォルダ集合において特定される分類語生成フォルダの中から、検索対象情報として指定されたフォルダを除いたフォルダのフォルダ内名称の集合として特定するステップと、
検索対象情報として指定したフォルダについて、情報属性データチェインを作成した上、該当する検索対象情報の全パス名と対応付けて登録した個別情報管理データを作成するステップと、
を有する請求項1７、１８に記載の情報処理装置における方法をコンピュータによって実現させるための制御プログラム。
【請求項２０】
検索出力情報を出力する矩形域であるアイコン配置欄セルをマトリクス状に配置したアイコン配置欄とアイコン配置欄の外側上方の１行上、または、アイコン配置欄の外側左方の１列上に設けられ、１つの項目名に対応する見出し語をその中に配置表示する見出し語欄とからなる表を表わす表定義データを作成する手段と作成した表定義データにもとづいて該当の表を装置画面上に表示する表表示手段とを備え、
項目別管理データに登録されている項目名ごとに選択された検索キーワードを、見出し語として同じ項目名に割り当てた見出し語欄内に配置した第1の表を表わす第1の表定義データを作成するステップと、
第1の表を構成する各アイコン配置欄セルについて、そのアイコン配置欄セルと定めた位置関係にある見出し語を各見出し語欄から識別した上、識別した見出し語を見出し語データとして該当の見出し語欄に割り当てた項目名と対応付けた関連見出し語定義データを作成するステップと、
各検索対象情報について、該当の個別情報管理データに登録されている情報属性データチェインと第１の関係にある関連見出し語定義データチェインが作成されているアイコン配置欄セル内に、該当のアイコンを出力表示するステップと、
からなる請求項１７、１８、１９に記載の情報処理装置における方法をコンピュータによって実現させるための制御プログラム。
【請求項２１】
各見出し語欄内にシステムの予約語である特定用語を見出し語として追加した表を表わす第1の表定義データを作成した上、上記特定用語を見出し語データとして含む関連見出し語定義データが識別されるアイコン配置欄セルにおいては、該当のアイコン配置欄セルについて識別される関連見出し語定義データチェインに対して別に定めた第２の関係にある情報属性データチェインを登録した個別情報管理データを選択し、選択した個別情報管理データの該当情報のアイコンを出力する請求項２０に記載の情報処理装置における方法をコンピュータによって実現させるための制御プログラム。
【請求項２２】
項目別管理データに登録されている項目名であって、検索キーワードが指定されていない項目名に対応する見出し語欄を設け、設けた見出し語欄内には、該当の項目別管理データに登録されている項目別分類語列を構成する各分類語を見出し語として配置した第2の表を表わす第２の表定義データを作成するステップと、
表表示手段に表示された第1の表上においてアイコン配置欄内の1つのセルである第１のセルに対して特定指示を与えることによって第2の表を表表示手段上に表示するステップと、
第２の表のアイコン配置欄内の1つのセルである第２のセル内に、第１のセルについて第１の方法、または、第２の方法により選択された検索対象情報の中から、さらに、第２にセルについて第１の方法により選択した情報のアイコンを出力する請求項２０、２１に記載の情報処理装置における方法をコンピュータによって実現させるための制御プログラム。
【請求項２３】
検索キーワードとして指定されている見出し語を検索キーワードとして指定されていない見出し語に対して区別できる修飾情報を与えて配置表示する請求項２０、２１、２２に記載の情報処理装置における方法をコンピュータによって実現させるための制御プログラム。
【請求項２４】
別に設けたセル内表示方法入力手段を介した指示、または、該当のセル内に出力される検索対象情報の個数にもとづき、アイコン配置欄内の出力情報の表示方法を、少なくとも、該当アイコン配置欄内の出力情報の中から特定の方法によって選択される情報のアイコンを出力する方法、または、当アイコン配置欄内に出力情報を代表する特定アイコンを出力する方法を含む方法の中から選択する請求項２０、２１、２２、２３に記載の情報処理装置における方法をコンピュータによって実現させるための制御プログラム。
【請求項２５】
アプリケーションが作成する情報であるファイル情報と装置が用意するフォルダを、管理単位であるデータオブジェクトとして管理する情報管理装置であって、
ファイル情報はフォルダに収容される形で管理され、フォルダは、１つのフォルダが別のフォルダである親フォルダの中に子フォルダとして収容されることが繰り返される階層構造の形で管理される情報管理装置にあって、
装置が管理するデータオブジェクトについて、
該当のデータオブジェクトを直接に収容する親フォルダの中において一意に定まる名称であるフォルダ内名称と、
該当のデータオブジェクトを格納する全ての階層上位のフォルダのフォルダ内名称を、そのフォルダが階層構造において占める順序にしたがって、定めた分離符を介して順次につないだ文字列に該当データオブジェクトのフォルダ内名称を、上記分離符を介してつなぐことによって得られる文字列である全パス名と、
ファイル情報とフォルダを区別した上、ファイル情報である場合には、該当するアプリケーションの種別を表わす種別情報と、
を対応付けて記憶するデータオブジェクト記憶手段と、
装置画面上において、ファイル情報を、該当するアプリケーションごとに定めたイメージであるアイコンによって表わし、フォルダについて特に定めたイメージであるアイコンによって表わした上、データオブジェクトに対する各種の処理を、装置画面上における該当するアイコン対する特定操作によっておこなうアイコン操作手段と、
を備え、
別に設けた検索対象指定手段からの入力にもとづいて、検索対象となる全てのフォルダに対して階層最上位に位置するフォルダである検索対象先頭フォルダを指定するステップと、
データオブジェクト記憶手段に記憶した各フォルダの全パス名、または、指定検索対象先頭フォルダの全パス名、または、別に設けた項目別フォルダ集合指定手段からの入力にもとづいて、検索対象先頭フォルダの階層下位に位置する全てのフォルダの親フォルダを、その中に子フォルダを設けるときの分類上の視点を共有するフォルダの集合である項目別フォルダ集合ごとにグループ分けした上、グループ分けされた各項目別フォルダ集合ごとに、
該当の項目別フォルダ集合の識別名称である項目名と、
該当の項目別フォルダ集合に属する各フォルダの全パス名と、
該当の項目別フォルダ集合に属する各フォルダに直接に収容される子フォルダであって、かつ、検索対象先頭フォルダをその階層上位フォルダとするフォルダである分類語生成フォルダのフォルダ内名称である分類語の集合である項目別分類語列と、
を対応付けて登録した項目別管理データを作成するステップと、
検索対象先頭フォルダその階層上位のフォルダとする全てのファイル情報を検索対象情報として順次に取出し、取り出した検索対象情報に対して階層上位に位置する各フォルダである第1のフォルダについて、その親フォルダが所属する項目別フォルダ集合を登録した項目管理データを識別した上、識別した項目管理データに登録されている項目名に対して第1のフォルダのフォルダ内名称をデータ名として対応付けた情報属性データを作成するステップと、
取り出したフ検索対象情報について作成された全ての情報属性データの集合である情報属性データチェインを該当する検索対象情報の全パス名と対応付けて登録した個別情報管理データを作成するステップと、
各項目別管理データに登録されている項目別分類語列を構成する各分類語を、別に設けたキーワード選択手段上において該当の項目名と対応付けて出力するステップと、
出力された分類語の中から選択した検索キーワードをデータ名として、該当する項目名との対を定めた規則にしたがって組み合わせた検索条件を入力するステップと、
入力された検索条件と別に定めた関係にある情報属性データチェインを登録した個別情報管理データを選択し、選択した個別情報管理データに登録されている全パス名の該当ファイル情報を、別に設けた検索出力手段上に出力するステップと、
からなる情報処理装置における方法をコンピュータによって実現させるための制御プログラムを格納した記憶媒体
【請求項２６】
該当の項目別フォルダ集合において特定される分類語生成フォルダのフォルダ内名称に対して、別に設けた代表分類語指定手段からの入力に基づいて、該当のフォルダ内名称が表わす分類内容に対して一意に定まる代表分類語を対応付けるステップと、
項目別分類語列を構成するフォルダ内名称の中、代表分類語を対応付けたフォルダ内名称を該当の代表分類語と置き換えるステップと、
情報属性データのデータ名として、第１のフォルダのフォルダ内名称に対応付けた代表分類語をセットするステップと、
を有する請求項１７に記載の情報処理装置における方法をコンピュータによって実現させるための制御プログラムを格納した記憶媒体
【請求項２７】
検索対象先頭フォルダの階層下位に位置するフォルダを、検索対象指定手段を介して検索対象情報として指定するステップと、
該当の項目別フォルダ集合に係わる項目別分類語列を、該当の項目別フォルダ集合において特定される分類語生成フォルダの中から、検索対象情報として指定されたフォルダを除いたフォルダのフォルダ内名称の集合として特定するステップと、
検索対象情報として指定したフォルダについて、情報属性データチェインを作成した上、該当する検索対象情報の全パス名と対応付けて登録した個別情報管理データを作成するステップと、
を有する請求項1７、１８に記載の情報処理装置における方法をコンピュータによって実現させるための制御プログラムを格納した記憶媒体。
【請求項２８】
検索出力情報を出力する矩形域であるアイコン配置欄セルをマトリクス状に配置したアイコン配置欄とアイコン配置欄の外側上方の１行上、または、アイコン配置欄の外側左方の１列上に設けられ、１つの項目名に対応する見出し語をその中に配置表示する見出し語欄とからなる表を表わす表定義データを作成する手段と作成した表定義データにもとづいて該当の表を装置画面上に表示する表表示手段とを備え、
項目別管理データに登録されている項目名ごとに選択された検索キーワードを、見出し語として同じ項目名に割り当てた見出し語欄内に配置した第1の表を表わす第1の表定義データを作成するステップと、
第1の表を構成する各アイコン配置欄セルについて、そのアイコン配置欄セルと定めた位置関係にある見出し語を各見出し語欄から識別した上、識別した見出し語を見出し語データとして該当の見出し語欄に割り当てた項目名と対応付けた関連見出し語定義データを作成するステップと、
各検索対象情報について、該当の個別情報管理データに登録されている情報属性データチェインと第１の関係にある関連見出し語定義データチェインが作成されているアイコン配置欄セル内に、該当のアイコンを出力表示するステップと、
からなる請求項１７、１８、１９に記載の情報処理装置における方法をコンピュータによって実現させるための制御プログラムを格納した記憶媒体
【請求項２９】
各見出し語欄内にシステムの予約語である特定用語を見出し語として追加した表を表わす第1の表定義データを作成した上、上記特定用語を見出し語データとして含む関連見出し語定義データが識別されるアイコン配置欄セルにおいては、該当のアイコン配置欄セルについて識別される関連見出し語定義データチェインに対して別に定めた第２の関係にある情報属性データチェインを登録した個別情報管理データを選択し、選択した個別情報管理データの該当情報のアイコンを出力する請求項２０に記載の情報処理装置における方法をコンピュータによって実現させるための制御プログラムを格納した記憶媒体
【請求項３０】
項目別管理データに登録されている項目名であって、検索キーワードが指定されていない項目名に対応する見出し語欄を設け、設けた見出し語欄内には、該当の項目別管理データに登録されている項目別分類語列を構成する各分類語を見出し語として配置した第2の表を表わす第２の表定義データを作成するステップと、
表表示手段に表示された第1の表上においてアイコン配置欄内の1つのセルである第１のセルに対して特定指示を与えることによって第2の表を表表示手段上に表示するステップと、
第２の表のアイコン配置欄内の1つのセルである第２のセル内に、第１のセルについて第１の方法、または、第２の方法により選択された検索対象情報の中から、さらに、第２にセルについて第１の方法により選択した情報のアイコンを出力する請求項２０、２１に記載の情報処理装置における方法をコンピュータによって実現させるための制御プログラムを格納した記憶媒体
【請求項３１】
検索キーワードとして指定されている見出し語を検索キーワードとして指定されていない見出し語に対して区別できる修飾情報を与えて配置表示する請求項２０、２１、２２に記載の情報処理装置における方法をコンピュータによって実現させるための制御プログラムを格納した記憶媒体。
【請求項３２】
別に設けたセル内表示方法入力手段を介した指示、または、該当のセル内に出力される検索対象情報の個数にもとづき、アイコン配置欄内の出力情報の表示方法を、少なくとも、該当アイコン配置欄内の出力情報の中から特定の方法によって選択される情報のアイコンを出力する方法、または、当アイコン配置欄内に出力情報を代表する特定アイコンを出力する方法を含む方法の中から選択する請求項２０、２１、２２、２３に記載の情報処理装置における方法をコンピュータによって実現させるための制御プログラムを格納した記憶媒体。
【手続補正２】
【補正対象書類名】明細書
【補正対象項目名】００３３
【補正方法】変更
【補正の内容】
【００３３】
上記の目的を達成するために、請求項１７に記載の発明による情報処理装置におけるファイルデータ出力方法をコンピュータによって実現させるための制御プログラム、
または、請求項２５に記載の発明による情報処理装置におけるファイルデータ出力方法をコンピュータによって実現させるための制御プログラムを格納した記憶媒体は、
アプリケーションが作成する情報であるファイル情報と装置が用意するフォルダを、管理単位であるデータオブジェクトとして管理する情報管理装置であって、
ファイル情報はフォルダに収容される形で管理され、フォルダは、１つのフォルダが別のフォルダである親フォルダの中に子フォルダとして収容されることが繰り返される階層構造の形で管理される情報管理装置にあって、
装置が管理するデータオブジェクトについて、
該当のデータオブジェクトを直接に収容する親フォルダの中において一意に定まる名称であるフォルダ内名称と、
該当のデータオブジェクトを格納する全ての階層上位のフォルダのフォルダ内名称を、そのフォルダが階層構造において占める順序にしたがって、定めた分離符を介して順次につないだ文字列に該当データオブジェクトのフォルダ内名称を、上記分離符を介してつなぐことによって得られる文字列である全パス名と、
ファイル情報とフォルダを区別した上、ファイル情報である場合には、該当するアプリケーションの種別を表わす種別情報と、
を対応付けて記憶するデータオブジェクト記憶手段と、
装置画面上において、ファイル情報を、該当するアプリケーションごとに定めたイメージであるアイコンによって表わし、フォルダについて特に定めたイメージであるアイコンによって表わした上、データオブジェクトに対する各種の処理を、装置画面上における該当するアイコン対する特定操作によっておこなうアイコン操作手段と、
を備え、
別に設けた検索対象指定手段からの入力にもとづいて、検索対象となる全てのフォルダに対して階層最上位に位置するフォルダである検索対象先頭フォルダを指定するステップと、
データオブジェクト記憶手段に記憶した各フォルダの全パス名、または、指定検索対象先頭フォルダの全パス名、または、別に設けた項目別フォルダ集合指定手段からの入力にもとづいて、検索対象先頭フォルダの階層下位に位置する全てのフォルダの親フォルダを、その中に子フォルダを設けるときの分類上の視点を共有するフォルダの集合である項目別フォルダ集合ごとにグループ分けした上、グループ分けされた各項目別フォルダ集合ごとに、
該当の項目別フォルダ集合の識別名称である項目名と、
該当の項目別フォルダ集合に属する各フォルダの全パス名と、
該当の項目別フォルダ集合に属する各フォルダに直接に収容される子フォルダであって、かつ、検索対象先頭フォルダをその階層上位フォルダとするフォルダである分類語生成フォルダのフォルダ内名称である分類語の集合である項目別分類語列と、
を対応付けて登録した項目別管理データを作成するステップと、
検索対象先頭フォルダその階層上位のフォルダとする全てのファイル情報を検索対象情報として順次に取出し、取り出した検索対象情報に対して階層上位に位置する各フォルダである第1のフォルダについて、その親フォルダが所属する項目別フォルダ集合を登録した項目管理データを識別した上、識別した項目管理データに登録されている項目名に対して第1のフォルダのフォルダ内名称をデータ名として対応付けた情報属性データを作成するステップと、
取り出したフ検索対象情報について作成された全ての情報属性データの集合である情報属性データチェインを該当する検索対象情報の全パス名と対応付けて登録した個別情報管理データを作成するステップと、
各項目別管理データに登録されている項目別分類語列を構成する各分類語を、別に設けたキーワード選択手段上において該当の項目名と対応付けて出力するステップと、
出力された分類語の中から選択した検索キーワードをデータ名として、該当する項目名との対を定めた規則にしたがって組み合わせた検索条件を入力するステップと、
入力された検索条件と別に定めた関係にある情報属性データチェインを登録した個別情報管理データを選択し、選択した個別情報管理データに登録されている全パス名の該当ファイル情報を、別に設けた検索出力手段上に出力するステップと、
からなることを特徴とする。
【手続補正３】
【補正対象書類名】明細書
【補正対象項目名】００３４
【補正方法】変更
【補正の内容】
【００３４】
請求項１８に記載の発明による情報処理装置におけるファイルデータ出力方法をコンピュータによって実現させるための制御プログラムは請求項１７において、
または、請求項２６に記載の発明による情報処理装置におけるファイルデータ出力方法をコンピュータによって実現させるための制御プログラムを格納した記憶媒体は請求項２５において
該当の項目別フォルダ集合において特定される分類語生成フォルダのフォルダ内名称に対して、別に設けた代表分類語指定手段からの入力に基づいて、該当のフォルダ内名称が表わす分類内容に対して一意に定まる代表分類語を対応付けるステップと、
項目別分類語列を構成するフォルダ内名称の中、代表分類語を対応付けたフォルダ内名称を該当の代表分類語と置き換えるステップと、
情報属性データのデータ名として、第１のフォルダのフォルダ内名称に対応付けた代表分類語をセットするステップと、
を有することを特徴とする。
【手続補正４】
【補正対象書類名】明細書
【補正対象項目名】００３５
【補正方法】変更
【補正の内容】
【００３５】
請求項１９に記載の発明による情報処理装置におけるファイルデータ出力方法をコンピュータによって実現させるための制御プログラムは請求項１７、１８において、
または、請求項２７に記載の発明による情報処理装置におけるファイルデータ出力方法をコンピュータによって実現させるための制御プログラムを格納した記憶媒体は請求項２５、２６において、
検索対象先頭フォルダの階層下位に位置するフォルダを、検索対象指定手段を介して検索対象情報として指定するステップと、
該当の項目別フォルダ集合に係わる項目別分類語列を、該当の項目別フォルダ集合において特定される分類語生成フォルダの中から、検索対象情報として指定されたフォルダを除いたフォルダのフォルダ内名称の集合として特定するステップと、
検索対象情報として指定したフォルダについて、情報属性データチェインを作成した上、該当する検索対象情報の全パス名と対応付けて登録した個別情報管理データを作成するステップと、
を有することを特徴とする。  
【手続補正５】
【補正対象書類名】明細書
【補正対象項目名】００３６
【補正方法】変更
【補正の内容】
【００３６】
請求項２０に記載の発明による情報処理装置におけるファイルデータ出力方法をコンピュータによって実現させるための制御プログラムは請求項１７、１８，１９において、
または、請求項２８に記載の発明による情報処理装置におけるファイルデータ出力方法をコンピュータによって実現させるための制御プログラムを格納した記憶媒体は請求項２５、２６，２７において、
検索出力情報を出力する矩形域であるアイコン配置欄セルをマトリクス状に配置したアイコン配置欄とアイコン配置欄の外側上方の１行上、または、アイコン配置欄の外側左方の１列上に設けられ、１つの項目名に対応する見出し語をその中に配置表示する見出し語欄とからなる表を表わす表定義データを作成する手段と作成した表定義データにもとづいて該当の表を装置画面上に表示する表表示手段とを備え、
項目別管理データに登録されている項目名ごとに選択された検索キーワードを、見出し語として同じ項目名に割り当てた見出し語欄内に配置した第1の表を表わす第1の表定義データを作成するステップと、
第1の表を構成する各アイコン配置欄セルについて、そのアイコン配置欄セルと定めた位置関係にある見出し語を各見出し語欄から識別した上、識別した見出し語を見出し語データとして該当の見出し語欄に割り当てた項目名と対応付けた関連見出し語定義データを作成するステップと、
各検索対象情報について、該当の個別情報管理データに登録されている情報属性データチェインと第１の関係にある関連見出し語定義データチェインが作成されているアイコン配置欄セル内に、該当のアイコンを出力表示するステップと、
からなることを特徴とする。
【手続補正６】
【補正対象書類名】明細書
【補正対象項目名】００３７
【補正方法】変更
【補正の内容】
【００３７】
請求項２１に記載の発明による情報処理装置におけるファイルデータ出力方法をコンピュータによって実現させるための制御プログラムは請求項２０において、
または、請求項２９に記載の発明による情報処理装置におけるファイルデータ出力方法をコンピュータによって実現させるための制御プログラムを格納した記憶媒体は、請求項２８において、
各見出し語欄内にシステムの予約語である特定用語を見出し語として追加した表を表わす第1の表定義データを作成した上、上記特定用語を見出し語データとして含む関連見出し語定義データが識別されるアイコン配置欄セルにおいては、該当のアイコン配置欄セルについて識別される関連見出し語定義データチェインに対して別に定めた第２の関係にある情報属性データチェインを登録した個別情報管理データを選択し、選択した個別情報管理データの該当情報のアイコンを出力することを特徴とする。  
【手続補正７】
【補正対象書類名】明細書
【補正対象項目名】００３８
【補正方法】変更
【補正の内容】
【００３８】
請求項２２に記載の発明による情報処理装置におけるファイルデータ出力方法をコンピュータによって実現させるための制御プログラムは請求項２０、２１において、
または、請求項３０に記載の発明による情報処理装置におけるファイルデータ出力方法をコンピュータによって実現させるための制御プログラムを格納した記憶媒体は請求項２８、２９において、
項目別管理データに登録されている項目名であって、検索キーワードが指定されていない項目名に対応する見出し語欄を設け、設けた見出し語欄内には、該当の項目別管理データに登録されている項目別分類語列を構成する各分類語を見出し語として配置した第2の表を表わす第２の表定義データを作成するステップと、
表表示手段に表示された第1の表上においてアイコン配置欄内の1つのセルである第１のセルに対して特定指示を与えることによって第2の表を表表示手段上に表示するステップと、
第２の表のアイコン配置欄内の1つのセルである第２のセル内に、第１のセルについて第１の方法、または、第２の方法により選択された検索対象情報の中から、さらに、第２にセルについて第１の方法により選択した情報のアイコンを出力することを特徴とする。
【手続補正８】
【補正対象書類名】明細書
【補正対象項目名】００３９
【補正方法】変更
【補正の内容】
【００３９】
請求項２３に記載の発明による情報処理装置におけるファイルデータ出力方法をコンピュータによって実現させるための制御プログラムは請求項２０、２１、２２において、
または、請求項３１に記載の発明による情報処理装置におけるファイルデータ出力方法をコンピュータによって実現させるための制御プログラムを格納した記憶媒体は請求項２８、２９、３０において、
検索キーワードとして指定されている見出し語を検索キーワードとして指定されていない見出し語に対して区別できる修飾情報を与えて配置表示することを特徴とする。
【手続補正９】
【補正対象書類名】明細書
【補正対象項目名】００４０
【補正方法】変更
【補正の内容】
【００４０】
請求項２４に記載の発明による情報処理装置におけるファイルデータ出力方法をコンピュータによって実現させるための制御プログラムは請求項２０、２１、２２、２３において、
または、請求項３２に記載の発明による情報処理装置におけるファイルデータ出力方法をコンピュータによって実現させるための制御プログラムを格納した記憶媒体は請求項２８、２９、３０、３１において、
別に設けたセル内表示方法入力手段を介した指示、または、該当のセル内に出力される検索対象情報の個数にもとづき、アイコン配置欄内の出力情報の表示方法を、少なくとも、該当アイコン配置欄内の出力情報の中から特定の方法によって選択される情報のアイコンを出力する方法、または、当アイコン配置欄内に出力情報を代表する特定アイコンを出力する方法を含む方法の中から選択することを特徴とする。